(57)【特許請求の範囲】
【請求項１】
天井に設置されたレール（１０）に沿って走行するランナー（２０）によって遮蔽材（１４）を吊下げ支持し、ランナー（２０）を走行させることによって遮蔽材（１４）を開閉自在としたスライド式パーティションにおいて、
ランナー（２０）に吊下げ支持される前記遮蔽材（１４）が昇降可能となっており、ランナー（２０）はレール（１０）に圧接されるように付勢されたストッパー（３２）を有しており、該ストッパー（３２）は遮蔽材（１４）を下方に引っ張ることによって、レール（１０）から離反してランナー（２０）の走行を可能とし、遮蔽材（１４）を放すと、レール（１０）に圧接されてランナー（２０）の移動を停止させる、ことを特徴とするスライド式パーティション。
【請求項２】
前記ランナー（２０）の下部にはブラケット（１６）が連結され、ブラケット（１６）に前記遮蔽材（１４）を昇降可能に支持する支持フレーム（１８）が着脱自在に取り付けられることを特徴とする請求項１記載のスライド式パーティション。
【請求項３】
前記ランナー（２０）には巻取軸（１２）が回転可能に支持され、該巻取軸（１２）に遮蔽材（１４）の一端が巻取り及び巻解き可能に連結されることを特徴とする請求項１または２に記載のスライド式パーティション。
【発明の詳細な説明】
【０００１】
【発明の属する技術分野】
本発明は、天井面に設置されたレールに沿って走行するランナーによって遮蔽材を吊下げ支持し、ランナーを走行させることによって遮蔽材を開閉自在としたスライド式パーティションに関するものである。
【０００２】
【従来の技術】
従来、この種のスライド式パーティションとしては、実開昭５７−１５２８９号公報に記載されたものがある。これによれば、天井面に設置されたカーテンレールに沿って走行する一対のキャリア（ランナー）及びこれらのキャリアの間隔を保持する間隔子によってカーテン支持ユニットを複数構成し、各カーテン支持ユニットからその長さに相当する幅を持つカーテン部分を懸吊支持している。また、カーテンレールに格納用レールを形成し、カーテンを開いた状態では、各カーテン支持ユニットの前後のキャリアがそれぞれ格納用レール内に収納されるようにし、カーテンを閉じるときに、先行のカーテン支持ユニットの後部キャリアと後続のカーテン支持ユニットの前部キャリアとを連結する連結部材を設けて、カーテンが連続して引き出されるようにしている。
【０００３】
【発明が解決しようとする課題】
しかしながら、かかる公報に記載されたスライド式パーティションでは、カーテンを開く状態にする場合には、各カーテン支持ユニットを格納用レール内に収納して、カーテンを格納空間に重ねるために、間仕切る空間を広く開放することができるものの、そのために格納用レールを形成する必要があると共に、その格納空間が必要となり、空間を十分に広く利用することはできないという問題がある。
【０００４】
また、カーテン支持ユニット同士が連結されているために、カーテン間を開放することができず、使用に制限があるという問題がある。
【０００５】
本発明はかかる課題に鑑みなされたもので、間仕切る必要がないときには空間をより広く利用することができ、自由に間仕切ることができるスライド式パーティションを提供することをその目的とする。
【０００６】
【課題を解決するための手段】
前述した目的を達成するために、請求項１記載の発明は、天井に設置されたレールに沿って走行するランナーによって遮蔽材を吊下げ支持し、ランナーを走行させることによって遮蔽材を開閉自在としたスライド式パーティションにおいて、
ランナーに吊下げ支持される前記遮蔽材が昇降可能となったものであり、ランナーはレールに圧接されるように付勢されたストッパーを有しており、該ストッパーは遮蔽材を下方に引っ張ることによって、レールから離反してランナーの走行を可能とし、遮蔽材を放すと、レールに圧接されてランナーの移動を停止させることを特徴とする。
【０００７】
空間を間仕切る必要がないときには、遮蔽材を上昇させればよいために、格納空間や格納用レール等を不要とすることができて、空間を広く利用することができる。また、この間仕切っている遮蔽材を昇降させることにより、間仕切られた空間の開閉部として利用することもできるようになる。遮蔽材の移動と昇降を組み合わせることにより、多様な間仕切態様を実現することができるようになる。例えば、複数の遮蔽材を並列して配置することにより、空間を間仕切ることもでき、その中の任意の遮蔽材を昇降させることにより、任意の位置を開放または閉鎖することができる。また、複数の遮蔽材同士を連結する必要もなく、自由に間仕切ることができる。
【０００８】
また、請求項２記載の発明は、請求項１記載のものにおいて、前記ランナーの下部にはブラケットが連結され、ブラケットに前記遮蔽材を昇降可能に支持する支持フレームが着脱自在に取り付けられることを特徴とする。ブラケットを介して支持フレームをランナーに取り付けることができるため、その取付が簡単であり、また、遮蔽材の交換等も簡単にできるようになる。複数のランナーで１つの遮蔽材を支持する場合、各ランナーにそれぞれブラケットが連結されているので、ランナー間の間隔は可変となる。よって、遮蔽材の幅がいかなるものであっても対応する支持フレームの適当な位置において、ブラケットを介してランナーに取り付けることができる。
【０００９】
また、請求項３記載の発明は、請求項１または２記載のものにおいて、前記ランナーには巻取軸が回転可能に支持され、該巻取軸に遮蔽材の一端が巻取り及び巻解き可能に連結されることを特徴とする。巻取軸に遮蔽材を巻取ることによって、遮蔽材を上昇させることができ、巻取軸から遮蔽材を巻解くことによって、遮蔽材を下降させることができる。
【００１０】
【発明の実施の形態】
以下、図面を用いて本発明の実施の形態を説明する。
【００１１】
図１は本発明の実施形態に係るスライド式パーティションの正面図である。図において、１０はレールであり、レール１０は天井面に適宜設置されている。レール１０を走行するランナー２０によって、遮蔽材であるスクリーン１４が吊下げられている。この例では、各スクリーン１４を一対のランナー２０で吊下げており、各ランナー２０の下端にはブラケット１６が連結され、各ブラケット１６に着脱可能に支持フレーム１８が取り付けられている。そして、支持フレーム１８に巻取パイプ（巻取軸）１２が回転可能に支持され、巻取パイプ１２に、スクリーン１４の上端が巻取り、巻解き可能に連結されている。スクリーン１４の下端にはウエイトバー１５が設けられる。
【００１２】
巻取パイプ１２内には、巻取パイプ１２に対して常時スクリーン巻取方向に回転させる力を加える巻取スプリング１７と、巻取パイプ１２の回転を停止させる状態と回転を許容する状態に切り換えるストッパ装置（図示を省略）とが配設される。
【００１３】
図２に示したように、ランナー２０は、直線レールのみならず、直交レールのような角度のあるレールでも走行することができるものとなっており、吊ボルト２２と、吊ボルト２２にスライド可能に外嵌された上下の軸受２３、２３と、軸受２３、２３を介して吊ボルト２２に軸支された上下のローラ２４、２４と、上下のローラ２４、２４を互いに離間させるためのスペーサ２６と、上方の軸受２３と吊ボルト２２の頭部２２ａとの間に介挿されるスプリング３０と、吊りボルト２２の頂部２２ａの上面に固着されたストッパ３２と、吊ボルト２２に螺合され、スプリング３０とで、軸受２３及びスペーサ２６を挟むナット２８と、を有している。スプリング３０によって、上方の軸受２３と吊ボルト２２の頭部２２ａは、常時互いに離反する方向へと付勢され、軸受２３の下方位置はレール１０の突出部１０ａによって規制されるために、結果として吊ボルト２２の頭部２２ａは、上方へと押圧される。そして、吊ボルト２２の頭部２２ａの上面に固着されたストッパ３２がレール１０の上内面に圧接し、両者の間に発生する摩擦力によって、ランナー２０の移動が規制されるようになっている。また、ランナー２０を下方へと押し下げることにより、吊ボルト２２の頭部２２ａの上面に固着されたストッパ３２がレール１０の上内面から離反することができるようになっている(図３参照)。また、吊ボルト２２の下端には、前記ブラケット１６が固定される。
【００１４】
ブラケット１６には、前述のように着脱可能に支持フレーム１８が取り付けられる（図４参照）。スクリーン１４の幅が一定でなく、よって、巻取パイプ１２の長手方向の長さが一定でなくても、２つのランナー２０の間隔を巻取パイプ１２の長さに合わせて調整し、ランナー２０に固定されるブラケット１６の間隔を調整することで、あらゆる幅のスクリーン１４に対応することができる。こうして、簡単にスライド式パーティションの施工をすることができる。
【００１５】
以上のように構成されるスライド式パーティションにおいては、スクリーン１４をやや下方に引っ張りながら、レール１０に沿って動かすと、図３に示したように、吊ボルト２２の頭部２２ａに固着されたストッパ３２がレール１０の上内面から離反して、ローラ２４、２４が転動して、ランナー２０がレール１０内を自由に走行することができるようになる。こうして、スクリーン１４を所望の位置まで移動させて、スクリーン１４から手を放すと、図２に示すように、ストッパ３２が再びレール１０の上内面に圧接されるために、ランナー２０は自由にレール１０内を移動できなくなり停止する。こうして、所望の位置にスクリーン１４を配置することができる。
【００１６】
また、停止させた状態で、スクリーン１４を少し強く下方に引っ張ると、巻取パイプ１２内のストッパ装置が解除されて、巻取パイプ１２が巻取スプリングの蓄勢力によってスクリーン１４の巻取方向に回動し、スクリーン１４が巻取パイプ１２に巻取られて、ウエイトバー１５が上昇する。適当な高さでスクリーン１４を再び下方に引いてストッパ装置を作動させると、巻取パイプ１６の回転が停止されるので、そのスクリーン１４がその位置を保持することができる（図５参照）。このように、スクリーン１４を巻取パイプ１２に巻取って、そのウエイトバー１５を所望の高さまで上昇させることにより、間仕切っていた空間を開放することができるようになる。
【００１７】
このように、本発明のスライド式パーティションでは、スクリーン１４をレール１０に沿って水平方向に移動させる動作と、スクリーン１４を昇降させて垂直方向に移動させる動作の２つの動作が可能となっており、これらの動作を組み合わせることにより、少ないスクリーン１４（スライド式パーティション）の個数で、多様な間仕切り態様を実現することができる。また、本発明のスライド式パーティションでは、種々の幅のスクリーンを使用することができるので、幅の異なる複数種類のスクリーンを使用することで、多様な間仕切り態様を実現することができる。図６ないし図１０は、その間仕切り態様を表す説明図である。
【００１８】
各図において、ある空間の天井に縦方向及び横方向に複数のレール１０が配置されており、そのレール１０に複数のスクリーンが吊下げられている。ここでは、幅の異なる２種類のスクリーン１４、１４’(ウエイトバー１５、１５’)が用いられている。図６は、複数のスクリーン１４、１４’によって大きな空間を多数の小空間に区画して、互いに通行可能となるように配置した例である。一方、この状態で、すべてのスクリーン１４、１４’を巻取パイプ１２に巻取って、そのウエイトバー１５、１５’を上昇させると、図７に示すように、大きな１つの空間とすることができる。また、図８に示すように、大部分のスクリーン１４、１４’を縦方向に伸びるレール１０に移動させて、残ったスクリーン１４を横方向に伸びるレール１０に移動させて、横方向に伸びるスクリーン１４を巻取パイプ１２に巻き取ってそのウエイトバー１５を上昇させて、細長い３つの小空間を形成することもできる。さらには、図９や図１０に示すように、空間を複数の小空間に間仕切ることができ、小空間の間を通行する必要があるときには、いずれかのスクリーン１４または１４’を開閉部として使用することができ、そのウエイトバー１５または１５’を上昇させて通行した後、再びウエイトバー１５または１５’を下降させることができる。以上のように、スクリーン１４、１４’の移動、昇降を組み合わせることにより、多様な間仕切り態様を実施することができる。特に、間仕切る必要がないときには、スクリーン１４、１４’を巻き取ってウエイトバー１５または１５’を完全に上昇させればよいので、格納用レールや格納空間を設ける必要が無く、結果として空間を広く利用することができる。
【００１９】
尚、以上の例では、遮蔽材の例としてスクリーン１４とし、スクリーン１４を巻取パイプに巻取り、巻解きすることにより、スクリーン１４の昇降を行う例について説明したが、これに限るものではない。遮蔽材として例えば、多数のスラットからなる横型ブラインドを適用することもできる。この場合、支持フレームから吊下げられたラダーコードによって多数のスラットを整列状態に支持し、ラダーコードの上端を支持フレーム内に設けられるラダーコード支持装置に支持し、ラダーコード支持装置の作動によってスラットが回転するようにし、スラット列の下方に配置されラダーコードの下端部が連結されるボトムレールに昇降コードの一端を連結すると共に、昇降コードの他端をスラット列に挿通させて支持フレーム内に導入して、該昇降コードを昇降させることによってスラット列及びボトムレールを昇降させることができる。この場合には、昇降のみならず、ラダーコード支持装置の作動によってスラットを回転させることにより、間仕切る空間を完全に遮蔽したり、または適宜、透過させたりすることもできる。
【００２０】
【発明の効果】
以上説明したように本発明によれば、間仕切る必要がないときには、遮蔽材を上昇させればよいために、格納空間や格納用レール等を不要とすることができて、空間を広く利用することができる。また、この間仕切っている遮蔽材を昇降させることにより、間仕切られた空間の開閉部として利用することもできるようになる。遮蔽材の移動と昇降を組み合わせることにより、多様な間仕切態様を実現することができるようになる。
【図面の簡単な説明】
【図１】本発明の実施形態に係るスライド式パーティションの正面図である。
【図２】図１のスライド式パーティションの断面図であり、パーティション停止時を表す。
【図３】図１のスライド式パーティションの断面図であり、パーティション移動時を表す。
【図４】図１のスライド式パーティションの断面図であり、支持フレームの着脱時を表す。
【図５】本発明の実施形態に係るスライド式パーティションの正面図であり、スクリーン上昇時を現す。
【図６】複数のスクリーンで空間を間仕切るときの一態様を表す説明図である。
【図７】複数のスクリーンで空間を間仕切るときの一態様を表す説明図である。
【図８】複数のスクリーンで空間を間仕切るときの一態様を表す説明図である。
【図９】複数のスクリーンで空間を間仕切るときの一態様を表す説明図である。
【図１０】複数のスクリーンで空間を間仕切るときの一態様を表す説明図である。
【符号の説明】
１０  レール
１２  巻取パイプ（巻取軸）
１４，１４’  スクリーン（遮蔽材）
１６  ブラケット
２０  ランナー
【図１】
0003953314.tif 000002
【図２】
0003953314.tif 000003
【図３】
0003953314.tif 000004
【図４】
0003953314.tif 000005
【図５】
0003953314.tif 000006
【図６】
0003953314.tif 000007
【図７】
0003953314.tif 000008
【図８】
0003953314.tif 000009
【図９】
0003953314.tif 000010
【図１０】
0003953314.tif 000011